(57)【要約】【課題】本発明は、高音質なステレオ音声出力を維持しながら、実質的な省スペースを図り、スピーカーを保護でき、さらには戸外での使用時に雨や埃などの侵入を防ぐことのできる携帯型情報処理装置を提供することを目的とするものである。【解決手段】本体部１と、表示パネル４を内蔵する表示部３と、表示部３の背面筐体７と、表示パネル４と背面筐体７との間に収納されたスピーカーユニット５とを備え、背面筐体７は放音孔７ｂを有する。【選択図】図１
2004318843.tif 000002
【特許請求の範囲】
【請求項１】
本体部と、前記本体部に開閉可能に取り付けられ、表示パネルを内蔵する表示部と、    前記表示部の背面筐体と、前記背面筐体と前記表示パネルとの間に収納されるスピーカーユニットとを備え、前記背面筐体は前記スピーカーユニットの放音をする第１の放音孔を有する携帯型情報処理装置。
【請求項２】
第１の放音孔を塞ぐように取り付けられたメッシュ状の防水シートを更に備える請求項１記載の携帯型情報処理装置。
【請求項３】
防水シートのメッシュの孔径は１００〜５００ミクロンである請求項２記載の携帯型情報処理装置。
【請求項４】
背面筐体は凹凸形状を有し、第１の放音孔は前記凹凸形状の立上がり面に設けられる請求項１記載の携帯型情報処理装置。
【請求項５】
立上がり面は背面筐体の左右対称の位置に設けられ、第１の放音孔は立上がり面のそれぞれに設けられる請求項４記載の携帯型情報処理装置。
【請求項６】
スピーカーユニットは、シール材を介して背面筐体に取り付けられる請求項１記載の携帯型情報処理装置。
【請求項７】
表示パネルの周囲と背面筐体の周囲との間に位置する放音隙間を更に備え、前記放音隙間は放音に利用される請求項１記載の携帯型情報処理装置。
【請求項８】
放音隙間を塞ぐように取り付けられたメッシュ状のシートを更に備える請求項７記載の携帯型情報処理装置。
【請求項９】
シートのメッシュの孔径は５００〜１０００ミクロンである請求項８記載の携帯型情報処理装置。
【請求項１０】
立上がり面は、お互いに傾斜した関係にある請求項５記載の携帯型情報処理装置。
【請求項１１】
表示部は前面の端部に第２の放音孔を有する請求項１記載の携帯型情報処理装置。
【請求項１２】
第２の放音孔は、端部の内で表示部の前面の左右に位置する部分に設けられる請求項１１記載の携帯型情報処理装置。
【請求項１３】
第２の放音孔は、端部の内で表示部の前面の上下に位置する部分に設けられる請求項１１記載の携帯型情報処理装置。
【請求項１４】
背面筐体は壁を更に有し、前記背面筐体と立上がり面と壁とでスピーカーボックスが形成され、スピーカーユニットは前記スピーカーボックスに取り付けられる請求項４記載の携帯型情報処理装置。
【請求項１５】
スピーカーユニットは立上がり面で固定される請求項１４記載の携帯型情報処理装置。
【請求項１６】
背面筐体はマグネシウム合金で形成される請求項１記載の携帯型情報処理装置。
【請求項１７】
背面筐体の内部の表面にはディンプルが設けられている請求項１記載の携帯型情報処理装置。
【請求項１８】
スピーカーユニットを駆動するオーディオアンプを更に備え、前記オーディオアンプは背面筐体を介して放熱されるように前記背面筐体に固定される請求項１記載の携帯型情報処理装置。
【請求項１９】
スピーカーユニットは平板状の圧電型スピーカーである請求項１記載の携帯型情報処理装置。
【発明の詳細な説明】
【技術分野】
【０００１】
本発明はスピーカーユニットを内蔵した携帯型情報処理装置に関する。
【背景技術】
【０００２】
近年、パーソナルコンピュータなどの情報処理装置はその性能向上により、映像や音声を処理するマルチメディアと呼ばれる機能が装備されるようになってきている。こうした中で、ノートパソコン等の携帯型情報処理装置においても、高音質な音声の再生のための音声出力機能であるスピーカーを備えるようになってきている。このようなノートパソコンは、例えば、特許文献１に開示されている。
【０００３】
以下、スピーカーを有する従来の携帯型情報処理装置について図６とともに説明する。
【０００４】
図６は携帯型情報処理装置であるノートパソコンの従来例を示す外観斜視図である。図６において、ノートパソコン１０は、本体１２、キーボード１４、表示装置１６、表示パネル１８、スピーカーパネル２０を備えている。表示パネル１８は、液晶ディスプレイやプラズマディスプレイを使用した薄型である。表示装置１６は本体１２に対して開閉自在で本体１２と結合されている。表示装置１６を閉じた状態では表示装置１６の上端部１６Ａは本体１２に近接した状態で係止される。スピーカーパネル２０は、全体が平板状で、表示装置側面１６Ｂに設けられた収納口２２を通ってスライド可能に取り付けられている。スピーカーパネル２０は、非使用時には、表示装置１６内に収納されている。スピーカーパネル２０は、音声再生時には、収納口２２を通って表示装置両側面１６Ｂから引き出される。即ち、スピーカーパネル２０は、矢印２０Ａの方向に出し入れされる。
【０００５】
こうすることにより、従来の携帯型情報処理装置であるノートパソコンは、使用時には高音質なステレオ音声出力を得て、携帯時などスピーカー不使用時にはスピーカーを収納して省スペースを実現することを狙っている。
【特許文献１】特開２００２−３５９８９０号公報
【発明の開示】
【発明が解決しようとする課題】
【０００６】
しかしながら、上述の従来の携帯型情報処理装置では、スピーカーパネル２０を左右に引き出して使用するため、スピーカー使用時の空間が必要である。従って、実質的な省スペースにはならない。また、スピーカーパネル２０を引き出す手間が必要であり、さらには引き出す際にスピーカーが損傷してしまうことがあるといった問題がある。
【０００７】
また、上述の従来の携帯型情報処理装置を携帯して戸外で使用する時に、不意の雨や埃などの機器内部への侵入を招きやすく、これらの侵入によって表示パネルなどの内部の装置に影響を与えるという問題もある。
【課題を解決するための手段】
【０００８】
上記課題を解決するために、本発明の携帯型情報処理装置は、本体部と、本体部に開閉可能に取り付けられ、表示パネルを内蔵する表示部と、表示部の背面筐体と、背面筐体と前記表示パネルとの間に収納されるスピーカーユニットとを備え、背面筐体はスピーカーユニットの放音をする第１の放音孔を有する。
【発明の効果】
【０００９】
本発明は、上記構成を有し、高音質なステレオ音声出力を維持しながら、実質的な省スペースを図り、スピーカーを保護できる携帯型情報処理装置を提供する。さらに本発明は戸外での使用時に雨や埃などの侵入を防ぐことのできる携帯型情報処理装置を提供する。また、本発明は表示部を開いている状態のみならず、表示部を閉じた状態でも高音質なステレオ音声出力を維持できる携帯型情報処理装置を提供する。
【発明を実施するための最良の形態】
【００１０】
以下、本発明の実施の形態について、図１から図５を用いて説明する。
【００１１】
（実施の形態１）
図１は、本発明の一実施の形態の携帯型情報処理装置であるノートパソコンの表示部を開いた状態を示す外観斜視図である。図２は、本発明の一実施の形態の携帯型情報処理装置であるノートパソコンの表示部を閉じた状態を示す外観斜視図である。図３は、本発明の一実施の形態の携帯型情報処理装置であるノートパソコンのスピーカー収納部分の断面図である。図４は本発明の一実施の形態の携帯型情報処理装置であるノートパソコンのスピーカー収納部分を示す分解斜視図である。図５は本発明の一実施の形態の携帯型情報処理装置であるノートパソコンの表示部を閉じた状態を示す外観図である。図１から図５において、本体部１には、パソコンとしての情報処理を実行する回路や、メモリや、記憶装置や、外部機器との入出力インターフェイスなどが納められている。キーボード２には、各種キーが所定の配列で並べられている。表示部３には、表示パネル４が納められている。また、表示部３の背面は、背面筐体７で覆われている。表示パネル４としては液晶表示装置やプラズマディスプレイなどが使用されているので、表示部３は薄型である。スピーカーユニット５は平板状のスピーカーである。本実施の形態では、スピーカーユニット５として平板状の圧電型スピーカーを例に挙げている。スピーカーユニット５は、シール材６を介し、ネジなどの締結部品により表示部３の背面筐体７に取り付けられている。
【００１２】
なお、このネジなどの締結部品は図示されていない。また、シール材６は、弾性を有するシート材で形成されている。このシール材６は、スピーカーユニット５の背面側への放音が前面側に回りこんで、スピーカーユニット５の前面側の放音との間に干渉を起こすことを防止する。更に、このシール材６は、メッシュ状の防水シート８で防ぎきれなかった放音孔７ｂからの雨や埃などの機器内部への侵入を完全に防ぐことができる。また、スピーカーユニット５の振動を背面筐体７に伝えにくくしている。
【００１３】
表示部３は、本体部１に対して開閉自在の状態で本体部１に接続されている。表示部３の背面筐体７は、背面部が凹凸形状になっており、この凹凸形状の左右の立上がり面７ａに第１の放音孔７ｂ（以降、放音孔７ｂと記載する）が複数設けられている。メッシュ状の防水シート８は放音孔７ｂを塞ぐように貼り付けられている。メッシュ状の防水シート８は、多くの丸孔がメッシュ状に開けられている金属製のシートである。これらの孔の径は、１００〜５００ミクロンである。この孔径１００〜５００ミクロンは、音は放出できるが雨や埃などの侵入は容易にできない径である。好ましくは孔径約３００ミクロンの孔を１インチ四方に７０個程度設けるのがよい。
【００１４】
このように、放音孔７ｂを背面筐体７の立上がり面７ａに設けることで、美観を損なわず、戸外での使用時にノートパソコンの表示部を閉じた状態では雨や埃などの侵入がしにくくなる。
【００１５】
また、表示部３の前面の端部に第２の放音孔３ａ、３ｂ、３ｃ、３ｄ（以降、放音孔３ａ、３ｂ、３ｃ、３ｄと記載する）が設けられている。放音孔３ａは表示部３の前面の上端部に位置し、放音孔３ｂは表示部３の前面の下端部に位置する。放音孔３ｃは表示部３の前面の左端部に位置し、放音孔３ｄは表示部３の前面の右端部に位置する。放音孔３ｃ、左側の放音孔３ａ、左側の放音孔３ｂからは主に左側のスピーカーユニット５で発生された音が放音される。放音孔３ｄ、右側の放音孔３ａ、右側の放音孔３ｂからは主に右側のスピーカーユニット５で発生された音が放音される。
【００１６】
このように、表示部３の前面の少なくとも何れかの端部に放音孔が設けられることによって、スピーカーユニット５を表示部筐体内に収納したままでも更に高音質な音声出力を得ることができる。更に、ステレオ音声であっても忠実に放音できる。
【００１７】
また、図３に示されている様に、放音隙間７ｃは、表示パネル４の周囲と背面筐体７の周囲の間にあって、左右に存在している。この放音隙間７ｃからも効率良く放音される。左側の放音隙間７ｃからは主に左側のスピーカーユニット５で発生された音が放音され、右側の放音隙間７ｃからは主に右側のスピーカーユニット５で発生された音が放音される。
【００１８】
次に、スピーカーユニット５の収納例を図４と共に更に説明する。図４において、背面筐体７には壁７ｅが設けられている。この壁７ｅと立上がり面７ａと背面筐体７によって、表示パネル４と対峙する面に開放の箱が形成される。この箱の開放面の位置に、スピーカーユニット５が装着される。即ち、壁７ｅと立上がり面７ａと背面筐体７によって形成された箱は、所謂スピーカーボックスの働きをする。このようにしてスピーカーボックスの働きを持たせることにより、更に高音質の音を再現することが可能である。また、壁７ｅと立上がり面７ａと背面筐体７によって形成された箱の形状や容積は、再現する音域や音質に影響する。従って、所望の音域や音質が得られるように、この箱の形状や容積を決定すれば良い。また、音域の異なるスピーカーを複数個使用する場合は、それぞれの音域に好都合の箱を個別に形成させても良い。
【００１９】
尚、スピーカーユニット５は、ネジなどの締結部品により背面筐体７の立上がり面７ａに取り付けられている。図４では、このネジなどの締結部品は図示されていない。また、図４ではシール材６の記載を省略している。
【００２０】
次に、スピーカーユニット５を駆動する為のオーディオアンプの収納について図５と共に説明する。図５において、オーディオアンプ５ａは、本体１に収納されている回路から出力される音声信号を受ける。オーディオアンプ５ａは受けた音声信号を電力増幅して、スピーカーユニット５を駆動する。そうして、スピーカーユニット５から音が出される。オーディオアンプ５ａは音声信号を電力増幅してスピーカーユニット５を駆動する働きをするので、オーディオアンプ５ａは必然的に発熱する。ところで、オーディオアンプ５ａは背面筐体７との間で熱伝達が良い状態で、背面筐体７に取り付けられている。背面筐体７はマグネシウム合金で形成されており、熱伝導率が非常に良い。従って、背面筐体７はオーディオアンプ５ａにとって効率の高い放熱体と等価であり、オーディオアンプ５ａの効率的な放熱が実現される。
【００２１】
ところで、図２や図５からも分かる通り、この左右の立上がり面７ａはお互いに平行ではなく、お互いが傾斜した関係である。左右の立上がり面７ａがお互いに平行である場合を仮定すると、左右の立上がり面７ａに設けられた放音孔７ｂを通して放音される音の干渉が問題となる。即ち、音の周波数に依存した固定的な音場指向性が発生する。しかし、図２や図５では、お互いが傾斜した関係にある左右の立上がり面７ａに沿ってスピーカーユニット５が配置され、お互いが傾斜した関係にある左右の立上がり面７ａに放音孔７ｂがそれぞれ複数個形成されている。こうすることで、左右の放音孔７ｂ間の距離は一定値ではなくなる。従って、音の周波数に依存した固定的な音場指向性を抑圧することができる。即ち、音の干渉を抑えることと同じ効果が得られる。音の干渉を抑えることができるので、音量の減衰量を低減できる。従って、音量を増加させることもできる。
【００２２】
次に、背面筐体７の内部表面の様子を図４と共に説明する。図４において、背面筐体７の内部の表面はディンプル７ｄが設けられている。ディンプル７ｄが設けられていることにより、背面筐体７の内部の表面は滑らかな平面ではなく凸凹が存在する。スピーカーユニット５で発生された音は背面筐体７の内部の表面で反射する。この様な凸凹が存在することによって、背面筐体７の内部の表面で反射された音にはお互いに位相がずれた成分が発生する。その結果、左右の立上がり面７ａに設けられた放音孔７ｂを通して放音される音の干渉を更に抑えることができる。即ち、音の干渉を更に抑えることができるので、音量の減衰量を更に低減できる。従って、音量を更に増加させることもできる。
【００２３】
また、図１および図３に示されているように、表示パネル４の周囲と背面筐体７の周囲の間の隙間にも、メッシュ状のシート９が取り付けられている。このシート９の孔径は５００〜１０００ミクロン程度であり、異物の侵入を防ぐことができる径である。
【００２４】
以上のように本発明の携帯型情報処理装置は、表示部の背面筐体と表示パネルとの間にスピーカーユニットを収納するとともに、背面筐体にスピーカーユニットの放音孔を備える。背面筐体は凹凸面を有し、凹凸面の立上がり面にスピーカーユニットの放音孔を備えることもできる。また、表示部３前面の縁部に放音孔を、表示パネルの周囲と背面筐体周囲との間に放音隙間を備えることもできる。かつ放音孔にメッシュ状のシートが取り付けられる。
【００２５】
この様に構成されることで、本発明の携帯型情報処理装置は、高音質なステレオ音声出力を維持しながら、実質的な省スペースを図り、スピーカーを保護でき、さらには戸外での使用時に雨や埃などの侵入を防ぐことができる。
【００２６】
また、本発明の携帯型情報処理装置は、立上がり面をお互いに傾斜した状態に設定したり、背面筐体の表面にディンプルを設定することで、音の干渉を抑圧して優れた音域や音質を実現できる。更に、本発明の携帯型情報処理装置は、背面筐体と立上がり面と背面筐体に設けられた壁とで所謂スピーカーボックスを形成し、このスピーカーボックスにスピーカーを設置することで、優れた音域や音質を実現できる。
【産業上の利用可能性】
【００２７】
本発明の携帯型情報処理装置は、高音質なステレオ音声出力を維持しながら、実質的な省スペースを図り、スピーカーを保護でき、また、表示部を開いている状態のみならず、表示部を閉じた状態でも高音質なステレオ音声出力を維持できるという効果を有し、スピーカーユニットを内蔵した携帯型情報処理装置等として有用である。
【図面の簡単な説明】
【００２８】
【図１】本発明の一実施の形態の携帯型情報処理装置であるノートパソコンの表示部を開いた状態を示す外観斜視図
【図２】本発明の一実施の形態の携帯型情報処理装置であるノートパソコンの表示部を閉じた状態を示す外観斜視図
【図３】本発明の一実施の形態の携帯型情報処理装置であるノートパソコンのスピーカー収納部分の断面図
【図４】本発明の一実施の形態の携帯型情報処理装置であるノートパソコンのスピーカー収納部分を示す分解斜視図
【図５】本発明の一実施の形態の携帯型情報処理装置であるノートパソコンの表示部を閉じた状態を示す外観図
【図６】従来のノートパソコンを示す外観斜視図
【符号の説明】
【００２９】
１  本体部
２  キーボード
３  表示部
３ａ、３ｂ、３ｃ、３ｄ  第２の放音孔
４  表示パネル
５  スピーカーユニット
６  シール材
７  背面筐体
７ａ  立上がり面
７ｂ  第１の放音孔
７ｃ  放音隙間
７ｄ  ディンプル
７ｅ  壁
８  防水シート
９  メッシュ状のシート
【図１】
2004318843.tif 000003
【図２】
2004318843.tif 000004
【図３】
2004318843.tif 000005
【図４】
2004318843.tif 000006
【図５】
2004318843.tif 000007
【図６】
2004318843.tif 000008